【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
太陽電池素子を有する太陽電池モジュールの背面側に設けられる太陽電池モジュール用光学フィルムであって、
基材フィルムと、
前記基材フィルム上に積層され、太陽からの光を前記太陽電池素子に向けて反射させる金属反射層とを有し、
前記金属反射層の表面及び裏面は、光硬化性樹脂または熱硬化性樹脂で被覆されていることを特徴とする太陽電池モジュール用光学フィルム。
【請求項２】
太陽電池素子を有する太陽電池モジュールの背面側に設けられる太陽電池モジュール用光学フィルムであって、
基材フィルムと、
前記基材フィルム上に積層され、太陽からの光を前記太陽電池素子に向けて反射させる金属反射層と、
前記金属反射層上に積層された第１セラミック層と、
前記第１セラミック層上に積層され、前記第１セラミック層よりも屈折率の高い第２セラミック層とを有することを特徴とする太陽電池モジュール用光学フィルム。
【請求項３】
前記金属反射層の表面及び裏面は、光硬化性樹脂または熱硬化性樹脂で被覆されていることを特徴とする請求項２記載の太陽電池モジュール用光学フィルム。
【請求項４】
前記金属反射層が銀合金で形成されていることを特徴とする請求項１〜３のいずれか一項記載の太陽電池モジュール用光学フィルム。
【請求項５】
前記基材フィルムは、アルミニウム層と、前記アルミニウム層を上下に挟み込むように積層された樹脂層とを有することを特徴とする請求項１〜４のいずれか一項記載の太陽電池モジュール用光学フィルム。
【請求項６】
前記太陽電池素子側の端部には、ヒートシーラントで形成された透明接着層が設けられていることを特徴とする請求項１〜５のいずれか一項記載の太陽電池モジュール用光学フィルム。
【請求項７】
太陽電池素子と、
前記太陽電池素子の表面側に配置された前面側透明板と、
前記太陽電池素子の裏面側に配置された背面側透明板と、
前記背面側透明板の背面側に設けられた光学フィルムとを備え、
前記光学フィルムは、基材フィルムと、前記基材フィルム上に積層され、太陽からの光を前記太陽電池素子に向けて反射させる金属反射層とを有し、
前記金属反射層の表面及び裏面は、光硬化性樹脂または熱硬化性樹脂で被覆されていることを特徴とする太陽電池モジュール。
【請求項８】
太陽電池素子と、
前記太陽電池素子の表面側に配置された前面側透明板と、
前記太陽電池素子の裏面側に配置された背面側透明板と、
前記背面側透明板の背面側に設けられた光学フィルムとを備え、
前記光学フィルムは、基材フィルムと、前記基材フィルム上に積層され、太陽からの光を前記太陽電池素子に向けて反射させる金属反射層と、前記金属反射層上に積層された第１セラミック層と、前記第１セラミック層上に積層され、前記第１セラミック層よりも屈折率の高い第２セラミック層とを有することを特徴とする太陽電池モジュール。
【請求項９】
前記金属反射層の表面及び裏面は、光硬化性樹脂または熱硬化性樹脂で被覆されていることを特徴とする請求項８記載の太陽電池モジュール。
【請求項１０】
前記太陽電池素子が両面受光型であり、
前記金属反射層は、ロールトウロールプロセスによって形成されていることを特徴とする請求項７〜９のいずれか一項記載の太陽電池モジュール。
【請求項１１】
太陽電池素子と、前記太陽電池素子の表面側に配置された前面側透明板と、前記太陽電池素子の裏面側に配置され、背面が凹凸状に腑形された背面側透明板と、前記背面側透明板の背面側に設けられ、前記背面側透明板の背面形状に合わせて凹凸状に腑形された光学フィルムとを備えた太陽電池モジュールの製造方法であって、
請求項１〜６のいずれか一項記載の前記光学フィルムを形成する工程と、
前記太陽電池素子を前記前面側透明板及び前記背面側透明板で封止する工程と、
前記光学フィルムを前記背面側透明板に貼り付ける工程とを含み、
前記太陽電池素子を封止する工程と前記光学フィルムを貼り付ける工程とを同時に行うことを特徴とする太陽電池モジュールの製造方法。
【手続補正２】
【補正対象書類名】明細書
【補正対象項目名】発明の名称
【補正方法】変更
【補正の内容】
【発明の名称】太陽電池モジュール用光学フィルム、太陽電池モジュール及びその製造方法
【手続補正３】
【補正対象書類名】明細書
【補正対象項目名】０００１
【補正方法】変更
【補正の内容】
【０００１】
本発明は、太陽電池モジュールの背面側に設けられる太陽電池モジュール用光学フィルム、太陽電池モジュール及びその製造方法に関するものである。
【手続補正４】
【補正対象書類名】明細書
【補正対象項目名】０００４
【補正方法】変更
【補正の内容】
【０００４】
本発明の目的は、高い光反射率の確保と耐久性の向上とを両立させることができる太陽電池モジュール用光学フィルム、太陽電池モジュール及びその製造方法を提供することである。
【手続補正５】
【補正対象書類名】明細書
【補正対象項目名】００１１
【補正方法】変更
【補正の内容】
【００１１】
さらに、好ましくは、基材フィルムは、アルミニウム層と、アルミニウム層を上下に挟み込むように積層された樹脂層とを有する。この場合には、アルミニウム層が酸素の透過を妨げることになるため、金属反射層の酸化劣化が更に抑えられる。
また、好ましくは、太陽電池素子側の端部には、ヒートシーラントで形成された透明接着層が設けられている。
本発明の太陽電池モジュールは、太陽電池素子と、太陽電池素子の表面側に配置された前面側透明板と、太陽電池素子の裏面側に配置された背面側透明板と、背面側透明板の背面側に設けられた光学フィルムとを備え、光学フィルムは、基材フィルムと、基材フィルム上に積層され、太陽からの光を太陽電池素子に向けて反射させる金属反射層とを有し、金属反射層の表面及び裏面は、光硬化性樹脂または熱硬化性樹脂で被覆されていることを特徴とするものである。
このように金属反射層の表面及び裏面が光硬化性樹脂または熱硬化性樹脂で被覆されてなる光学フィルムを設けることにより、上述したように金属反射層が長期間の熱収縮による応力を受けたときでも、金属反射層の剥がれの発生が防止されるようになる。このため、金属反射層の剥がれに起因した水分や酸素の流入が抑制されるため、金属反射層の酸化劣化が防止される。これにより、長期間にわたって光学フィルムの高い光反射率を維持しつつ、光学フィルムの耐久性を向上させることができる。
また、本発明の太陽電池モジュールは、太陽電池素子と、太陽電池素子の表面側に配置された前面側透明板と、太陽電池素子の裏面側に配置された背面側透明板と、背面側透明板の背面側に設けられた光学フィルムとを備え、光学フィルムは、基材フィルムと、基材フィルム上に積層され、太陽からの光を太陽電池素子に向けて反射させる金属反射層と、金属反射層上に積層された第１セラミック層と、第１セラミック層上に積層され、第１セラミック層よりも屈折率の高い第２セラミック層とを有することを特徴とするものである。
このように金属反射層上に第１セラミック層及び第２セラミック層が順に積層されてなる光学フィルムを設けることにより、上述したように薄膜光学的な作用によって金属反射層の光反射率が高められる。また、第１セラミック層及び第２セラミック層が水分や酸素を金属反射層から遮断することになるため、金属反射層の酸化劣化が抑えられる。これにより、長期間にわたって光学フィルムの高い光反射率を維持しつつ、光学フィルムの耐久性を向上させることができる。
このとき、好ましくは、金属反射層の表面及び裏面は、光硬化性樹脂または熱硬化性樹脂で被覆されている。この場合には、金属反射層が長期間の熱収縮による応力を受けたときでも、金属反射層の剥がれの発生が防止されるようになる。このため、金属反射層の剥がれに起因した水分や酸素の流入が抑制されるため、金属反射層の酸化劣化が更に防止されることとなる。
また、好ましくは、太陽電池素子が両面受光型であり、金属反射層は、ロールトウロールプロセスによって形成されている。
また、本発明は、太陽電池素子と、太陽電池素子の表面側に配置された前面側透明板と、太陽電池素子の裏面側に配置され、背面が凹凸状に腑形された背面側透明板と、背面側透明板の背面側に設けられ、背面側透明板の背面形状に合わせて凹凸状に腑形された光学フィルムとを備えた太陽電池モジュールの製造方法であって、上記の光学フィルムを形成する工程と、太陽電池素子を前面側透明板及び背面側透明板で封止する工程と、光学フィルムを背面側透明板に貼り付ける工程とを含み、太陽電池素子を封止する工程と光学フィルムを貼り付ける工程とを同時に行うことを特徴とするものである。
このように上記の光学フィルムを備えた太陽電池モジュールを製造することにより、上述したように、長期間にわたって光学フィルムの高い光反射率を維持しつつ、光学フィルムの耐久性を向上させることができる。
【手続補正６】
【補正対象書類名】明細書
【補正対象項目名】００１３
【補正方法】変更
【補正の内容】
【００１３】
以下、本発明に係わる太陽電池モジュール用光学フィルム、太陽電池モジュール及びその製造方法の好適な実施形態について、図面を参照して詳細に説明する。